(57)【要約】【課題】ミストを効率よく発生させる霧化装置、及びヘアドライヤーを提供すること。【解決手段】本発明に係る霧化装置１３０は、結露面を冷却して空気中に含まれる水分を結露させる結露部と、結露面を接地電極として放電を発生させることで、結露面において結露している結露水Ｗを静電霧化する放電電極１３４と、を備える。結露面は結露水Ｗが集まる部分を有し、放電電極１３４は、結露水Ｗが集まる部分と対向する位置に配置されている。【選択図】図７
2019130497.tif 000002
【特許請求の範囲】
【請求項１】
結露面を冷却して空気中に含まれる水分を結露させる結露部と、
前記結露面を接地電極として放電を発生させることで、前記結露面において結露している結露水を静電霧化する放電電極と、を備え、
前記結露面は前記結露水が集まる部分を有し、
前記放電電極は、前記結露水が集まる部分と対向する位置に配置されている、
霧化装置。
【請求項２】
前記結露面は重力方向上側に向かって凹んでいる凹部を有し、
前記結露水は、前記凹部の重力方向下側に向かって集まる、
請求項１に記載の霧化装置。
【請求項３】
前記凹部は前記結露面の中央部において一方向に伸びるように形成されており、
前記放電電極は前記凹部の重力方向下側の両端の位置と対向するように配置されている、
請求項２に記載の霧化装置。
【請求項４】
前記放電電極は第１の電極と第２の電極とが二股状に伸びる構造を有し、
前記第１及び第２の電極の各々は、前記凹部の重力方向下側の両端の位置とそれぞれ対向するように配置されている、
請求項３に記載の霧化装置。
【請求項５】
前記結露面は重力方向下側に向かって突出している凸部を有し、
前記放電電極は、前記凸部と対向する位置に配置されている、
請求項１に記載の霧化装置。
【請求項６】
前記結露面に設けられた前記凸部は、前記結露面の中央部において一方向に伸びるように形成されている、請求項５に記載の霧化装置。
【請求項７】
前記結露部は、
ペルチェ素子と、
前記ペルチェ素子の吸熱面と熱的に接続された冷却板と、を備え、
前記冷却板は前記ペルチェ素子が設けられている面と逆側に前記結露面を有し、
前記凹部または前記凸部は前記冷却板の前記結露面に形成されている、
請求項２〜６のいずれか一項に記載の霧化装置。
【請求項８】
前記結露面の表面には前記結露水を前記結露水が集まる部分へと導くガイド溝が形成されている、請求項１〜７のいずれか一項に記載の霧化装置。
【請求項９】
吸入口から吹出口へ向かう空気流を生成するファンと、
前記空気流に前記静電霧化された液滴を付与する請求項１〜８のいずれか一項に記載の霧化装置と、
保持する美容成分を前記空気流に含まれる前記液滴を媒体として前記空気流に放出する美容成分保持部材と、を備える
ヘアドライヤー。
【発明の詳細な説明】
【技術分野】
【０００１】
本発明は、霧化装置、及びヘアドライヤーに関する。
【背景技術】
【０００２】
コラーゲンなどの美容成分を空気流に乗せて毛髪に放散するヘアドライヤーが知られている（例えば、特許文献１参照）。当該美容成分は、交換式カートリッジ等の美容成分保持部材に保持されており、空気流に含まれるミストと結合して運ばれる。美容成分を運ぶミストは、ヘアドライヤーに備えられた霧化装置によって生成される。
【先行技術文献】
【特許文献】
【０００３】
【特許文献１】特開２０１５−１９８５４号公報
【発明の概要】
【発明が解決しようとする課題】
【０００４】
このような機能を備えるヘアドライヤーでは、運ばれる美容成分の量を増加させたいという要請がある。すなわち、美容成分を運ぶためのミストを多く生成できる霧化装置をヘアドライヤーに搭載したいという要請がある。しかも、霧化装置を大型化させないことも重要である。
【０００５】
本発明は、このような問題を解決するためになされたものであり、ミストを効率よく発生させる霧化装置、及びヘアドライヤーを提供するものである。
【課題を解決するための手段】
【０００６】
本発明における霧化装置は、結露面を冷却して空気中に含まれる水分を結露させる結露部と、前記結露面を接地電極として放電を発生させることで、前記結露面において結露している結露水を静電霧化する放電電極と、を備え、前記結露面は前記結露水が集まる部分を有し、前記放電電極は、前記結露水が集まる部分と対向する位置に配置されている。
【０００７】
本発明におけるヘアドライヤーは、吸入口から吹出口へ向かう空気流を生成するファンと、前記空気流に前記静電霧化された液滴を付与する上記の霧化装置と、保持する美容成分を前記空気流に含まれる前記液滴を媒体として前記空気流に放出する美容成分保持部材と、を備える。
【０００８】
このように構成することにより、結露面において結露した結露水を放電電極と対向する場所に集めることができる。つまり、放電が起こる場所に結露水を集めることができるので、結露水の静電霧化が起こりやすくなり、ミストを効率よく発生させることができる。
【発明の効果】
【０００９】
本発明により、ミストを効率よく発生させることが可能な霧化装置、及びヘアドライヤーを提供することができる。
【図面の簡単な説明】
【００１０】
【図１】第１の実施形態に係るヘアドライヤーの全体斜視図である。
【図２】カートリッジを装着する様子を示す部分拡大図である。
【図３】ハウジングの中央断面の様子を模式的に示す図である。
【図４】ヘアドライヤーのシステム構成図である。
【図５】第１の実施形態に係る霧化装置の構成を示す分解斜視図である。
【図６】第１の実施形態に係る霧化装置の構成を示す分解斜視図である。
【図７】第１の実施形態に係る霧化装置の切断線ＶＩＩ−ＶＩＩにおける断面図である。
【図８】第２の実施形態に係る霧化装置の構成を示す分解斜視図である。
【図９】第２の実施形態に係る霧化装置の切断線ＩＸ−ＩＸにおける断面図である。
【図１０】第３の実施形態に係る霧化装置の構成を示す断面図である。
【図１１】第３の実施形態の変形例に係る冷却板及び放電電極の斜視図である。
【発明を実施するための形態】
【００１１】
以下、発明の実施形態を通じて本発明を説明するが、特許請求の範囲に係る発明を以下の実施形態に限定するものではない。また、実施形態で説明する構成の全てが課題を解決するための手段として必須であるとは限らない。また、各図面において、同一又は対応する要素には同一の符号が付されており、説明の明確化のため、必要に応じて重複説明は省略される。
【００１２】
［第１の実施形態］
図１は、第１の実施形態に係るヘアドライヤー１００の全体斜視図である。ヘアドライヤー１００は、主に、温風や冷風を発生させる本体ユニット１１０と、ユーザが把持するグリップユニット１８０と、を備える。ヘアドライヤー１００は、ＡＣ電源から供給される電力によって、熱や空気流を発生させる。
【００１３】
本体ユニット１１０は、筐体であるハウジング１１６が外周を取り囲んで円筒形状を成し、一端側の開口である吸入口１１１から外気を取り入れ、他端側の開口である吹出口１１２から調整された空気流を吹き出す。吹出口１１２は、２つに分かれており、相対的に大量の空気流を吹き出す第１吹出口１１３と、第１吹出口よりは吹き出す空気流が少ない第２吹出口１１４とによって構成されている。なお、以降の説明においては、吸入口１１１側を上流側と称し、吹出口１１２側を下流側と称する。
【００１４】
本体ユニット１１０は、グリップユニット１８０と接続する端部を有する。当該端部近傍には、トグル式のモードスイッチ１１５が設けられている。モードスイッチ１１５は、吹き出す空気流に美容成分を放出させる美容モードと放出させない非美容モードとを切り替える切替部として機能する。ユーザは、モードスイッチ１１５を操作して希望するモードに切り替える。
【００１５】
グリップユニット１８０は、一端側が本体ユニット１１０と回動可能に接続されており、ユーザは、グリップユニット１８０を本体ユニット１１０に対して使用時においては直立させ、収容時においては並行にして折り畳む。グリップユニット１８０は、把持部の中央付近にオンオフスイッチ１８１を有する。ユーザは、オンオフスイッチ１８１を３つのポジションのいずれかにスライドさせることができる。それぞれのポジションは、１つがオフポジション、１つが後述するヒータへの通電を遮断して冷風を送出させる冷風ポジション、１つが電熱線に通電して温風を送出させる温風ポジションである。
【００１６】
ユーザがモードスイッチ１１５を操作して美容モードに切り替えると、美容成分が混入した空気流が第２吹出口１１４から吐出される。図２に示すように、美容成分は、美容成分保持部材としてのカートリッジ１５０に吸着保持されている。カートリッジ１５０は、本体ユニット１１０に対して交換可能に装着される。すなわち、美容成分を放出し尽くしたカートリッジ１５０は、新たなカートリッジ１５０に取り替えられる。これにより、ヘアドライヤー１００は、美容成分の放散を継続的に維持することができる。
【００１７】
ハウジング１１６の一部には開口部が設けられており、開口部は、通常の使用時には収容蓋１１７で覆われている。収容蓋１１７は、一端側に設けられたヒンジによりハウジング１１６に枢設されており、ユーザは、カートリッジ１５０の交換時に収容蓋１１７の他端側を持ち上げて開口部を開く。開口部の奥には装着部１１８が設けられており、ユーザはカートリッジ１５０を装着部１１８に装着することができる。カートリッジ１５０を装着して収容蓋１１７を閉じれば、ユーザは、ヘアドライヤー１００の美容モードを機能させることができる。なお、カートリッジ１５０が装着されていない状態ではモードスイッチ１１５を美容モードに切り替えられないように、モードスイッチ１１５にロック機構を設けても良い。
【００１８】
図３は、図１の座標系で示すｘｚ平面と平行な断面で切断した、ハウジング１１６の中央断面の様子を模式的に示す図である。図は、主要な構成要素に限って表している。具体的には、ハウジング１１６内に配設されたヒータ１２１、モータ１２２、ファン１２３、霧化装置１３０、及び装着部１１８に装着されたカートリッジ１５０を表している。
【００１９】
ファン１２３は、モータ１２２によって回転され、吸入口１１１から外気を取り込んで、吹出口１１２へ向けて空気流を発生させる。モータ１２２は、例えば直流モータであり、ファン１２３と共に送風装置として機能する。ヒータ１２１は、通電されることにより熱を発生し、ファン１２３で発生された空気流を加熱して温風に変換する。ヒータ１２１は、例えば電熱線であり、絶縁板に巻回されるなどしてハウジング１１６の中空部に位置するように固定されている。
【００２０】
ハウジング１１６の内部空間は、吸入口１１１から取り込まれた外気がファン１２３よりも下流側で二手に分流するように、内壁１１９によって２つに分割されている。すなわち、ファン１２３によって生成される空気流は、この内壁１１９によって、第１吹出口１１３へ向かう空気流Ｂ０と、第２吹出口１１４へ向かう空気流Ｂ１と、に分かれる。ヒータ１２１は、空気流Ｂ０を温めるように、空気流Ｂ０の流路中に配設されている。したがって、ユーザがオンオフスイッチ１８１を温風ポジションに設定していれば、通電されたヒータ１２１が空気流Ｂ０を温める。また、空気流Ｂ１は、霧化装置１３０、及びカートリッジ１５０を通過して第２吹出口１１４へと向かう。
【００２１】
霧化装置１３０は、空気流Ｂ１の流路中に配設されている。霧化装置１３０は、主に、ペルチェ素子１３１と、冷却板１３２と、金属板１３３と、放電電極１３４と、放熱手段１３５と、を含む。また、霧化装置１３０は、それらを固定する固定部材１４０を更に含んでいてもよい。
霧化装置１３０は、周辺空気に含まれる水分を結露させ、結露した水分をミスト化（霧化）して空気流Ｂ１に付与する装置である。ファン１２３が回っている間に水分を結露させる場合には、空気流Ｂ１に含まれる水分を結露させる。すなわち、霧化装置１３０は、空気中の水分を凝縮してミスト（霧化された液滴）を生成する装置であり、本実施形態においては、直径が十〜数百ナノメートルの液滴を生成する。霧化装置１３０の詳細については後述する。
【００２２】
なお、霧化装置１３０のうち、結露部は直接的に空気流Ｂ１の流路中に配設されていなくても良い。結露面で結露した結露水が放電によりミスト化した場合に、当該ミストが空気流Ｂ１に誘引されるのであれば、空気流Ｂ１に直接晒されない箇所に配設することも可能である。結露面が直接的に空気流Ｂ１に晒されないのであれば、比較的大きな結露水を生成することも可能であり、放電によって生成するミストの大きさをコントロールしやすい。
【００２３】
カートリッジ１５０は、霧化装置１３０よりも下流側に設けられた装着部１１８に装着されている（図２参照）。マイナスイオンに帯電したミストがカートリッジ１５０の内部を通過すると、カートリッジ１５０に吸着保持された美容成分がミストに溶出する。すなわち、美容成分はミストを媒体として空気流に放出される。第２吹出口１１４から吐出される空気流Ｂ１は、当該美容成分を適度に含んだ状態でユーザの毛髪へ到達する。
【００２４】
なお、図３に示すように、霧化装置１３０とヒータ１２１の間には内壁１１９が介在し、互いに隔離されているので、ヒータ１２１が発生する熱は、霧化装置１３０の結露部に到達しにくい。したがって、結露部は、より多くの水分を結露させることができる。また、内壁１１９は、ヒータ１２１の熱をより遮断するように、断熱性の高い素材で形成されると良い。あるいは、内壁１１９の表面に熱移動を遮断する断熱シートを貼着すると良い。
【００２５】
カートリッジ１５０に吸着保持する美容成分は、例えば保湿性を有するものとして、タンパク質、ムコ多糖、コラーゲン、エラスチン、ケラチン、ビタミン類等が挙げられる。なお、美容成分としては、上記した以外のものも任意に選択して用いることができるが、毛髪等における保湿性等を向上させてキューティクルの痛みを回復させる等の観点から、美容成分としてはコラーゲンを含むことが好ましい。
【００２６】
また、金属微粒子を美容成分として採用することもできる。美容成分となり得る金属としては、金、銀、銅、白金、亜鉛、チタンが候補として挙げられる。金属微粒子の粒径は、数ｎｍ〜数μｍの範囲で任意に選択してもよい。このような金属微粒子は、毛髪に付着して抗菌作用や抗酸化作用を生じさせることができる。特に白金の微粒子は、抗酸化作用が極めて高いことが知られており、美容成分として採用すると良い。
【００２７】
また、例えばコラーゲンなどに担持させるなどの態様により、金属微粒子を美容成分として採用することもできる。もちろん、美容成分として、上記で例示した美容成分やその他の美容成分を、任意の割合で配合して用いてもよい。
【００２８】
図４は、ヘアドライヤー１００のシステム構成図である。ヘアドライヤー１００は、例えばマイクロプロセッサで構成された制御部１９０によって電気系統の全体が制御される。オンオフスイッチ１８１のスイッチ状態、およびモードスイッチ１１５のスイッチ状態は、電気的に検出されて制御部１９０へ伝達される。制御部１９０は、これらのスイッチ状態に応じて各回路を制御する。制御対象は、主に、ヒータ回路１９１、モータ回路１９２、ペルチェ回路１９３および電極回路１９４である。
【００２９】
ヒータ回路１９１は、ヒータ１２１に通電して一定の発熱状態を保つ回路である。制御部１９０は、オンオフスイッチ１８１が温風ポジションであるときに、ヒータ回路１９１が機能するように制御する。モータ回路１９２は、モータ１２２に通電してファン１２３を一定の回転速度で回転させる回路である。制御部１９０は、オンオフスイッチ１８１が冷風ポジションまたは温風ポジションであるときに、モータ回路１９２が機能するように制御する。
【００３０】
ペルチェ回路１９３は、ペルチェ素子１３１を駆動して吸熱面から発熱面へ熱移動させる回路である。制御部１９０は、モードスイッチ１１５が美容モードに設定されているときに、ペルチェ回路１９３が機能するように制御する。電極回路１９４は、放電電極１３４に高圧の負パルスを印加して、放電電極１３４と冷却板１３２の間で周期的に放電を発生させる回路である。制御部１９０は、モードスイッチ１１５が美容モードに設定されているときに、電極回路１９４が機能するように制御する。
【００３１】
つまり、モードスイッチ１１５が美容モードに設定されているときに、霧化装置１３０が液滴を生成するモードになる。したがって、モードスイッチ１１５は、霧化装置１３０が液滴を生成するモードと生成しないモードとを切り替える切替部に対応している。
【００３２】
次に、本実施形態に係るヘアドライヤー１００が備える霧化装置１３０について詳細に説明する。図３に示す断面図に加えて、図５、図６に示す分解斜視図、及び図７に示す断面図を用いて、霧化装置１３０の構成について説明する。
図５は、ペルチェ素子１３１、冷却板１３２、金属板１３３、放電電極１３４、及び配線１３６を固定部材１４０に固定する様子を示した分解斜視図である。図６は、放熱手段１３５を固定部材１４０に固定する様子を示した分解斜視図である。図７は、図６において放熱手段１３５を固定部材１４０に固定した後、切断線ＶＩＩ−ＶＩＩで切断したときの断面図である。
【００３３】
まず、固定部材１４０の構成について説明する。
図５に示すように、固定部材１４０は、平板部材１４１と、複数の押さえ部１４２ａ、１４２ｂ、１４２ｃ、１４２ｄと、電極固定部１４３と、を備える。また、平板部材１４１の上面、すなわち重力方向上側の面（ｚ軸正方向側の面）には、内側に窪んだ窪み部１４４が形成されている。さらに、窪み部１４４には、ｚ軸方向に貫通する開口部１４５が形成されている。
【００３４】
平板部材１４１は板状の部材であって、例えばプラスチックを用いて形成される。
押さえ部１４２ａ〜１４２ｄは棒状の部材であって、例えばプラスチックを用いて形成される。押さえ部１４２ａ〜１４２ｄは、平板部材１４１の上面からｚ軸方向上側に延びるように設けられている。押さえ部１４２ａと押さえ部１４２ｂは、窪み部１４４を間に挟んでｙ軸方向に対向配置されている。押さえ部１４２ｂは、押さえ部１４２ａよりもｙ軸正方向側に配置されている。押さえ部１４２ｃ及び押さえ部１４２ｄは、押さえ部１４２ａ及び押さえ部１４２ｂを、それぞれｘ軸負方向側に平行移動した位置に配置されている。押さえ部１４２ａ、１４２ｃの上端は、それぞれｙ軸正方向側に折れ曲がっており、押さえ部１４２ｂ、１４２ｄの上端は、それぞれｙ軸負方向側に折れ曲がっている。なお、押さえ部の配置や数は、図５に示す構成に限定されるものではない。
【００３５】
電極固定部１４３は、例えばプラスチックなどの絶縁性物質で形成される。電極固定部１４３は、平板部材１４１の下面、すなわち重力方向下側の面（ｚ軸負方向側の面）において、開口部１４５の縁に配置されている。電極固定部１４３の下面には図示しないねじ穴が設けられている。
【００３６】
次に、ペルチェ素子１３１、冷却板１３２、金属板１３３、放電電極１３４、放熱手段１３５、及び配線１３６の配置関係について説明する。
図５に示すように、ペルチェ素子１３１、冷却板１３２、及び金属板１３３は、重力方向上側に向かって凹んでいる凹部を有している。本実施形態においては、ペルチェ素子１３１、冷却板１３２、及び金属板１３３に対し、ｙｚ平面に平行な断面で略逆Ｕ字状になるような凹部が、中央部においてｘ軸方向に伸びるように形成されている。
【００３７】
ペルチェ素子１３１の下面には、冷却板１３２が貼り合わされている。ペルチェ素子１３１の上面には、金属板１３３が貼り合わされている。また、ペルチェ素子１３１には、配線１３６が接続されている。
【００３８】
図６に示すように、ペルチェ素子１３１、冷却板１３２、及び金属板１３３は、互いに貼り合わされた状態で、冷却板１３２を下側にして固定部材１４０の窪み部１４４（図５参照）に嵌められる。このとき、冷却板１３２の下面において凹部の重力方向下側の両端が固定部材１４０の下側から見えるように、開口部１４５が形成されている。
【００３９】
図５に示すように、放電電極１３４は、第１の電極１３４ａと第２の電極１３４ｂとが二股状に伸びる構造を有している。放電電極１３４はねじ穴を有しており、図示しないねじによって電極固定部１４３に固定される。
【００４０】
図６に示すように、放熱手段１３５は、平板部材１４１の上面において、複数の押さえ部１４２ａ〜１４２ｄに囲まれるスペースに、例えばｚ軸方向から挿入される。放熱手段１３５の下面は、金属板１３３の上面に沿った曲面形状を有しており、金属板１３３と密着する。放熱手段１３５は、金属板１３３と密着した状態で、押さえ部１４２ａ〜１４２ｄによって平板部材１４１に固定される（図７参照）。なお、図５〜図７に示すように、放熱手段１３５には放熱フィン１３９を設けていてもよい。
【００４１】
次に、霧化装置１３０における各部の機能について説明する。
ペルチェ素子１３１は、配線１３６によってペルチェ回路１９３と接続されている。ペルチェ素子１３１は、ペルチェ回路１９３からの指示によって、下面（吸熱面）から上面（発熱面）へ熱移動を起こす。
【００４２】
図７に示すように、ペルチェ素子１３１の発熱面側には金属板１３３が設けられている。また、金属板１３３の上面には、放熱手段１３５が設けられている。放熱手段１３５は、ペルチェ素子１３１の発熱面側で発生した熱を、金属板１３３を介して放熱させる。
なお、金属板１３３は、熱良導体の薄板であると好ましく、例えばステンレス板が用いられる。また、金属板１３３は、ペルチェ素子１３１と直接貼り合わされていなくてもよく、例えば熱良導体を介在させるなど、熱的に接続されていれば良い。また、放熱手段１３５及び放熱フィン１３９も、熱伝導率の高い材料を用いて構成することが好ましく、例えば、銅やステンレス材料等の金属材料を用いて形成される。
【００４３】
図７に示すように、ペルチェ素子１３１の吸熱面側には導電性の冷却板１３２が貼り合わされており、冷却板１３２は、ペルチェ素子１３１によって冷却される。冷却板１３２のうちペルチェ素子１３１が設けられている面と逆側の面である結露面には、空気中に含まれる水分が結露し、結露水Ｗが付着する。このように、冷却板１３２はペルチェ素子１３１と協働し、結露部として機能する。
なお、冷却板１３２は、熱良導体の薄板であると好ましく、例えばステンレス板が用いられる。また、冷却板１３２は、ペルチェ素子１３１と直接貼り合わされていなくてもよく、例えば熱良導体を介在させるなど、熱的に接続されていれば良い。
【００４４】
図７に示すように、冷却板１３２の結露面は、重力方向上側に向かって凹んでいる凹部１３７を有している。また、凹部１３７は結露面の中央部においてｘ軸方向に伸びている（図５参照）。このような形状を有した冷却板１３２の結露面においては、図７に示すように、結露水Ｗが重力によって凹部１３７の重力方向下側に集まる。すなわち、冷却板１３２の結露面に集まった結露水Ｗは、凹部１３７の重力方向下側の両端の位置に集まる。
なお、結露部は、ファン１２３が回っている場合には、空気流Ｂ１に含まれる水分を結露させるが、ファン１２３が回っていない無気流の場合であっても、周囲の空気から水分を結露させることができる。
【００４５】
また、図７に示すように、放電電極１３４は、冷却板１３２の下面のうち凹部１３７の重力方向下側の両端と対向するように配置されている。すなわち、第１の電極１３４ａ及び第２の電極１３４ｂの各々は、冷却板１３２の下面のうち凹部１３７の重力方向下側の両端とそれぞれ対向するように配置されている。
【００４６】
冷却板１３２は、図示しない端子等を介して接地電位に接続されている。このため、冷却板１３２の結露面は接地電極として機能する。一方、放電電極１３４には、接続された電極回路１９４から高圧の負パルスが印加される。放電電極１３４に高圧の負パルスが印加されると、放電電極１３４の先端部である第１の電極１３４ａ及び第２の電極１３４ｂと、接地電極である冷却板１３２の結露面との間で放電が起こる。このとき、冷却板１３２の結露面に結露していた結露水Ｗが、レイリー分裂により、マイナスイオンに帯電したミストとなって飛散する。
【００４７】
前述したように、第１の電極１３４ａ及び第２の電極１３４ｂの各々は、冷却板１３２の結露面において凹部１３７の重力方向下側の両端の位置、すなわち結露水Ｗが集まる部分とそれぞれ対向している。従って、冷却板１３２において結露水Ｗが集まる場所で放電を起こすことができ、結露水Ｗを効率よく静電霧化することができる。よって、ミストを効率よく発生させることが可能な霧化装置、及びヘアドライヤーを提供することができる。
【００４８】
［第２の実施形態］
次に、図８及び図９を用いて、第２の実施形態に係る霧化装置２３０について説明する。図８は、本実施形態に係るペルチェ素子２３１、冷却板２３２、金属板２３３、放電電極２３４、放熱手段２３５、及び配線２３６を、固定部材１４０に固定する様子を示した分解斜視図である。図９は、図８において放熱手段２３５を固定部材１４０に固定した後、切断線ＩＸ−ＩＸで切断したときの断面図である。
【００４９】
図８に示すように、ペルチェ素子２３１、冷却板２３２、及び金属板２３３は、重力方向下側に向かって突出している凸部を有するという点で、第１の実施形態と異なる。本実施形態においては、ペルチェ素子２３１、冷却板２３２、及び金属板２３３に対し、ｙｚ平面に平行な断面で略Ｕ字状になるような凸部が、中央部においてｘ軸方向に伸びるように形成されている。
【００５０】
ペルチェ素子２３１、冷却板２３２、及び金属板２３３は、互いに貼り合わされた状態で、冷却板２３２を下側にして固定部材１４０の窪み部１４４に嵌められる。このとき、冷却板２３２の下面において凸部の頂点付近が固定部材１４０の下側から見えるように、開口部１４５が形成されている。
【００５１】
放電電極２３４は、先端が細く伸びた構造を有している。放電電極２３４はねじ穴を有しており、図示しないねじによって電極固定部１４３に固定される。このとき、図９に示すように、放電電極２３４は、冷却板２３２の下面のうち凸部２３７の頂点付近と対向するように配置されている。
【００５２】
図８に示すように、放熱手段２３５は、平板部材１４１の上面において、複数の押さえ部１４２ａ〜１４２ｄに囲まれるスペースに、例えばｚ軸方向から挿入される。放熱手段２３５の下面は、金属板２３３の上面に沿った曲面形状を有しており、金属板２３３と密着する。放熱手段２３５は、金属板２３３と密着した状態で、押さえ部１４２ａ〜１４２ｄによって平板部材１４１に固定される（図９参照）。なお、図８及び図９に示すように、放熱手段２３５には放熱フィン２３９を設けていてもよい。
【００５３】
本実施形態においても、冷却板２３２のうちペルチェ素子２３１が設けられている面と逆側の面である結露面には、空気中に含まれる水分が結露し、結露水Ｗが付着する。冷却板２３２の結露面は、図９に示すように、重力方向下側に向かって突出している凸部２３７を有している。また、凸部２３７は結露面の中央部においてｘ軸方向に伸びている（図８参照）。このような形状を有した冷却板２３２の結露面においては、図９に示すように、結露水Ｗが重力によって凸部２３７の頂点付近に集まる。
【００５４】
前述したように、放電電極２３４は、冷却板２３２の結露面において凸部２３７の頂点付近、すなわち結露水Ｗが集まる部分と対向している。従って、放電電極２３４に高圧の負パルスを印加することで、冷却板２３２において結露水Ｗが集まる場所で放電を起こすことができ、結露水Ｗを効率よく静電霧化することができる。
【００５５】
［第３の実施形態］
次に、図１０を用いて、第３の実施形態に係る霧化装置３３０について説明する。図１０は、本実施形態に係る霧化装置３３０のｙｚ平面における断面図である。図１０に示すように、本実施形態に係る霧化装置３３０は、第１の実施形態に係るペルチェ素子１３１、冷却板１３２、金属板１３３、及び放熱手段１３５に代えて、ペルチェ素子３３１、冷却板３３２、金属板３３３、及び放熱手段３３５を備えている。放熱手段３３５には放熱フィン３３９を設けていてもよい。
【００５６】
図１０に示すように、ペルチェ素子３３１と金属板３３３は平板形状である。また、放熱手段３３５の下面も平面形状である。一方、冷却板３３２の下面である結露面は、重力方向上側に向かって凹んでいる凹部３３７を有している。また、放電電極１３４の先端部である第１の電極１３４ａ及び第２の電極１３４ｂは、凹部３３７の重力方向下側の両端の位置と対向する位置に配置されている。
【００５７】
このような構成においても、冷却板３３２の結露面のうち、凹部３３７の重力方向下側の両端の位置に結露水Ｗが集まる。従って、冷却板３３２において結露水Ｗが集まる場所で放電を起こすことができ、結露水Ｗを効率よく静電霧化することができる。
また、上述の通り、本実施形態におけるペルチェ素子３３１は板状であるので、本発明の霧化装置の構成を簡略化することができる。
【００５８】
ここで、本実施形態に係る霧化装置３３０の変形例として、さらに冷却板３３２と放電電極１３４に代えて冷却板４３２と放電電極４３４を用いる構成を、図１１を用いて説明する。図１１は、本実施形態の変形例に係る冷却板４３２と放電電極４３４の斜視図である。
【００５９】
図１１に示すように、冷却板４３２の下面である結露面は椀状の凹部４３７を有する。また、放電電極４３４は、円環形状を有しており、凹部４３７の周縁部と対向する位置に配置されている。このような構成においては、冷却板４３２の結露面のうち、凹部４３７の周縁部に結露水Ｗが集まる。従って、冷却板４３２において結露水Ｗが集まる場所で放電を起こすことができ、結露水Ｗを効率よく静電霧化することができる。
【００６０】
なお、本実施形態において、冷却板３３２、４３２の結露面が凹部を有する構成について説明したが、冷却板３３２、４３２の結露面は凸部を有していてもよい。この場合は、凸部と対向する位置に放電電極を配置する。このような構成であっても、結露面は結露水が集まる部分を有するため、放電電極を結露水が集まる部分と対向する位置に配置することで、ミストを効率よく発生させることができる。
【００６１】
以上、本発明を上記の実施形態に即して説明したが、本発明は上記実施の形態の構成にのみ限定されるものではなく、本願特許請求の範囲の請求項の発明の範囲内で当業者であればなし得る各種変形、修正、組み合わせを含むことは勿論である。
例えば、上記の実施形態に係るヘアドライヤー１００は、放電電極に負のパルスを印加してマイナスイオンを発生させたが、正のパルスを印加してプラスイオンを発生させても良い。正のパルスを印加して放電を発生させると、プラスイオンに帯電したミストが発生する。この場合は、プラスイオンがユーザの毛髪に到達し、プラスイオンによる抗菌効果などが期待できる。また、放電電極に印加するパルスの極性を変化させることにより、マイナスイオンとプラスイオンをシーケンシャルに発生させても良い。また、放電電極をそれぞれ複数設けて、プラスイオンとマイナスイオンを同時に発生させるようにしても良い。
【００６２】
また、図５〜１０で示した構成例では、凹部または凸部が一方向（上記の例ではｘ軸方向）に伸びるように形成された場合について説明したが、凹部または凸部が一方向に伸びるように形成されていなくてもよい。例えば、凹部または凸部は結露面の一部に局所的に設けられていてもよい。このような構成であっても、結露面は結露水が集まる部分を有するため、放電電極を結露水が集まる部分と対向する位置に配置することで、ミストを効率よく発生させることができる。
【００６３】
また、上記の実施形態で説明した構成に加えて、結露面の表面に、結露水を結露水が集まる部分へと導くガイド溝を設けていてもよい。結露面の表面にガイド溝を設けることで、さらに多くの結露水を特定の箇所に集めることができる。
【００６４】
また、以上説明した実施形態に係るヘアドライヤー１００は、美容成分保持部材として交換式のカートリッジ１５０を採用したが、カートリッジ式ではなく、例えば美容成分を外部から注入できるような美容成分保持部材を採用しても良い。この場合の美容成分保持部材は、本体ユニット１１０に固定されていても良い。
【００６５】
また、本実施形態においては、霧化装置がヘアドライヤー１００に搭載される実施例を説明したが、霧化装置を他の装置に組み込んで利用することも可能である。例えば、乾燥した皮膚に潤いを与える装置に組み込んで利用することができる。
【符号の説明】
【００６６】
１００  ヘアドライヤー、１１０  本体ユニット、１１１  吸入口、１１２  吹出口、１１３  第１吹出口、１１４  第２吹出口、１１５  モードスイッチ、１１６  ハウジング、１１７  収容蓋、１１８  装着部、１１９  内壁、１２１  ヒータ、１２２  モータ、１２３  ファン、１３０、２３０  霧化装置、１３１、２３１、３３１  ペルチェ素子、１３２、２３２、３３２、４３２  冷却板、１３３、２３３、３３３  金属板、１３４、２３４、４３４  放電電極、１３４ａ  第１の電極、１３４ｂ  第２の電極、１３５、２３５、３３５  放熱手段、１３６、２３６  配線、１３７、３３７、４３７  凹部、１３９、２３９、３３９  放熱フィン、１４０  固定部材、１４１  平板部材、１４２ａ〜１４２ｄ  押さえ部、１４３  電極固定部、１４４  窪み部、１４５  開口部、１５０  カートリッジ、１８０  グリップユニット、１８１  オンオフスイッチ、１９０  制御部、１９１  ヒータ回路、１９２  モータ回路、１９３  ペルチェ回路、１９４  電極回路、２３７  凸部
【図１】
2019130497.tif 000003
【図２】
2019130497.tif 000004
【図３】
2019130497.tif 000005
【図４】
2019130497.tif 000006
【図５】
2019130497.tif 000007
【図６】
2019130497.tif 000008
【図７】
2019130497.tif 000009
【図８】
2019130497.tif 000010
【図９】
2019130497.tif 000011
【図１０】
2019130497.tif 000012
【図１１】
2019130497.tif 000013